(57)【特許請求の範囲】
【請求項１】
火災発生時に発生する煙を排除する排煙ファンと、火災延焼と煙の拡散とを防止する防火扉とを具備する防排煙装置において、
防火扉近傍における人体を検出する人体センサと；
この人体センサが上記人体を検出したときに、上記排煙ファンの風量を低下させるように制御する風量制御手段と；
を有することを特徴とする防排煙制御装置。
【請求項２】
火災発生時に発生する煙を排除する排煙ファンと、火災延焼と煙の拡散とを防止する防火扉と、上記排煙ファンを駆動する駆動手段とを具備する防排煙装置において、
上記排煙ファンを強風制御する強風制御部と；
上記排煙ファンを弱風制御することによって、上記防火扉に加えられる風圧を、上記強風制御における上記風圧よりも減少させる弱風制御部と；
上記排煙ファンによる風量を波状的に制御する排煙ファン制御手段と；
を有することを特徴とする防排煙制御装置。
【発明の詳細な説明】
【０００１】
【発明の属する技術分野】
本発明は、火災発生時に発生する煙を排除する排煙ファンと、火災延焼と煙の拡散とを防止する防火扉とを具備する防排煙装置に関する。
【０００２】
【従来の技術】
建物で火災が発生した場合、その建物が燃焼するときに発生する炎は非常に高熱であり、その煙は有毒ガスを含むこともあり、建物内にいる人に大変有害である。また、人間を建物外に避難させるときに、廊下・階段等の避難路に当る部分に煙が充満すると、避難に必要な視界が遮られるので、避難が困難になることが多い。
【０００３】
そこで、決められた面積・法則で建物内を区切り、炎、煙が他の区画に燃え広がらないようにするために、それぞれの区画境界（防火区画）には、不燃性の材料で構成された防火扉を設けることが、一定規模以上の建物では法律で義務付けられている。
【０００４】
また、最近のビルの高層化に伴って、窓が開かなかったり窓等の開口部が小さい建築物が増えてきたので、火災発生時には、建物内に発生した煙を外部へ強制的に排煙するために、排煙ファンを設けるケースも多くなっている。その排煙ファンは外部へ大量の煙を排出できる強力なものであることが望ましい。
【０００５】
【発明が解決しようとする課題】
しかし、排煙機を強力にすればその風圧も強くなり、人間を建物内の防火区画側に残したまま防火扉が閉鎖され、排煙ファンが動作すると、人間が避難路を利用して建物外に避難しようとしても、強い風圧によって防火扉が強く壁に押し付けられるために、防火扉が開けにくくなる。
【０００６】
図８は、従来の防排煙装置の一例を示す図であり、非火災時を示し、図８（１）は、その正面図、図８（２）は、その側面図である。図９は、上記従来の防排煙装置における火災時を示す図である。
【０００７】
防火扉Ｄは、各階に設けられ、非火災時には開かれ、通路の壁に張り付いた状態になっており、火災が発生すると、通路の壁から離れて閉じ、監視区画（防火区画）を閉鎖する。このように火災が発生すると、防火扉Ｄが閉じるが、防火区画▲１▼内に人が存在していた場合に、防火区画▲１▼から避難路▲２▼に避難できるように、防火扉Ｄを防火区画▲１▼から押せば開くように設計されている。つまり、防火扉Ｄが動作した後でも、排煙機Ｂの排煙ファンが動作していなければ、約５ｋｇｆの力で、防火扉Ｄを押し開けて通行することができる。
【０００８】
ところが、排煙ファンが動作していると、排煙ファンが動作することによる風圧が防火扉Ｄに防火扉Ｄを閉じさせる方向にかかり、その防火扉Ｄを開けるに必要な力は約３０ｋｇｆ以上になり、防火扉Ｄの内部に残された人間が避難路に出るためには、この力を発生する必要がある。
【０００９】
本発明は、防火扉が動作し、排煙ファンも動作した後でも、防火扉の内部に残された人間が容易に防火扉の外に避難することができる防排煙制御装置を提供することを目的とするものである。
【００１０】
【課題を解決するための手段】
本発明は、火災発生時に発生する煙を排除する排煙ファンと、火災延焼と煙の拡散とを防止する防火扉とを具備する防排煙装置において、防火扉近傍における人体を検出する人体センサと、この人体センサが上記人体を検出したときに、上記排煙ファンの風量を低下させるように制御する風量制御手段とを有する防排煙制御装置である。
【００１１】
【発明の実施の形態および実施例】
図１は、本発明の一実施例である防排煙制御装置ＳＣ１を示すブロック図である。
【００１２】
この防排煙制御装置ＳＣ１は、電源ＰＳと、排煙ファンを具備する排煙機Ｂと、排煙機Ｂを強風制御する強風制御部Ｃ１と、排煙機Ｂを弱風制御する弱風制御部Ｃ２と、電源ＰＳの電力を強風制御部Ｃ１、弱風制御部Ｃ２にそれぞれ供給する端子ｔ１、ｔ２と空端子ｔ３とを有するスイッチＳＷと、防排煙制御装置ＳＣ１の全体を制御するとともにスイッチＳＷを切り換え制御する制御部１１と、防火扉Ｄの開閉を検出する扉開閉センサＳＥ１とを有する。この扉開閉センサＳＥ１としては、たとえば、実公昭５３−０３６５９９号公報または実公昭５５−０１５５７９号公報で示されるようなリミットスイッチが用いられる。
【００１３】
なお、強風制御部Ｃ１は、排煙機Ｂと電源ＰＳとの間に設けられる比較的小さな抵抗値を有する抵抗であってもよく、弱風制御部Ｃ２は、排煙機Ｂと電源ＰＳとの間に設けられる比較的大きな抵抗値を有する抵抗であってもよい。また、強風制御部Ｃ１、弱風制御部Ｃ２は、ＳＣＲなどを使用したチョッパ回路であってもよい。図１において、防火扉Ｄと排煙機Ｂと扉開閉センサＳＥ１とが監視区画（防火区画）に設けられ、制御部１１、強風制御部Ｃ１および弱風制御部Ｃ２等は制御装置の一例としての火災受信機に設けられている。また、この火災受信機には、図示はしないが、防火扉が異常であることを表示する異常表示手段としての表示部が盤面に設けられている。
【００１４】
また、電源ＰＳと強風制御部Ｃ１と弱風制御部Ｃ２とは排煙ファンを駆動する駆動手段の例である。制御部１１は、防火扉が開いていることを防火扉開閉検出センサが検出しているときに、排煙ファンの風量を所定量にし、一方、防火扉が閉じていることを防火扉開閉検出センサが検出しているときに、排煙ファンの風量を所定量よりも減少させるように制御する風量制御手段の例である。
【００１５】
次に、上記実施例である防排煙制御装置ＳＣ１の動作について説明する。
【００１６】
図２は、防排煙制御装置ＳＣ１の動作を示すフローチャートである。まず、火災が発生したことが図示しない火災感知器によって感知され、または発信機が操作され（Ｓ１）、火災感知器や発信機からの信号または受信機への手動入力によって防火扉Ｄを閉じる命令が発生すると（Ｓ２）、制御装置の制御部１１が信号線を介して防火扉Ｄに、制御信号としての防火扉閉信号を送出する（Ｓ３）。その後、防火扉閉信号に対応する排煙機起動命令が防火扉と同様な条件によって発生すると（Ｓ４）、制御部１１が排煙機起動信号を出力し（Ｓ５）、つまり、スイッチＳＷを端子ｔ１に切り換え、電源ＰＳが強風制御部Ｃ１に接続される。
【００１７】
このときに、防火扉の閉じる位置に設けられているリミットスイッチ等の扉開閉センサＳＥ１によって防火扉Ｄがまだ開いていることが検出され（Ｓ６）、閉信号を送出してから１０秒を経過していなければ（Ｓ７）、制御部１１は排煙機Ｂを強風制御し続ける（Ｓ８）。つまり、制御部１１がスイッチＳＷを端子ｔ１に接続する制御を行うことによって、電源ＰＳを強風制御部Ｃ１に接続し、排煙機Ｂのファンによる風が強風になる。なお、ここでもう少し詳しく説明すると、火災受信機が防火扉閉信号を送出してから、防火扉が完全に閉じるまでには１０秒程度の時間がかかる。このように防火扉をゆっくりと閉じるようにしているのは、人を挟まないようにするためであるとともに、防火扉が完全に閉じるまでの間に、排煙機を強風制御することによって、多量の煙を外部へ排出するためである。
【００１８】
そして、復旧操作がなければ（Ｓ９）、上記１０秒間の間、すなわち防火扉が完全に閉じるまでの間は、上記のように強風制御される。
【００１９】
その後、扉開閉センサＳＥ１によって防火扉Ｄが閉じられたことを検出すると（Ｓ６）、排煙機Ｂを弱風制御する（Ｓ１０）。つまり、制御部１１がスイッチＳＷの接点を端子ｔ２に切り換え、電源ＰＳが弱風制御部Ｃ２に接続され、排煙機Ｂが弱風動作する。
【００２０】
上記実施例においては、防火扉Ｄが開いている間は、強風制御することによって、防火区画内の煙を多量に排出することができ、しかも防火区画（監視区画）に存在する人間が避難路に出ることができ、一方、防火扉Ｄが閉じた場合には、弱風制御することによって、防火扉に加えられる風圧が少なくなるので、弱い力で防火扉を押し開くことができ、防火区画（監視区画）に存在する人間が避難路に出ることができる。つまり、防火区画（監視区画）に存在する人間が避難路に容易に出ることができるようにしつつ、防火区画内の煙を効率よく排出することができる。
【００２１】
なお、物がはさまる等して防火扉が完全には閉じない場合、つまり防火扉閉信号が送出された（Ｓ３）にもかかわらず、防火扉が開いたままで（Ｓ６）、その閉信号の送出から１０秒経過した場合（Ｓ７）には、防火扉Ｄの動作が異常であるとして火災受信機盤面で異常表示する（Ｓ１１）。また、復旧操作があった場合（Ｓ９）には、排煙機停止等の復旧処理を行う（Ｓ１２）。
【００２２】
図３は、上記実施例における他の動作を示すフローチャートである。
【００２３】
この動作は、図２に示す動作と基本的には同じであるが、防火扉が閉じている（Ｓ６）にもかかわらず、ステップＳ３で防火扉閉信号が送出されていない場合（Ｓ２１）には、いたずら等によって防火扉Ｄが閉じられたものであると判断し、防火扉Ｄの異常を上記と同様に表示する（Ｓ２２）点が、図２の場合とは異なる。このようにすることによって、防火扉Ｄの異常を容易に知ることができる。なお、このステップＳ２１とＳ２２との処理は、図示はしていないが、ステップＳ４で排煙機起動命令がない場合にも同様に行われる。
【００２４】
図４は、本発明の他の実施例である防排煙制御装置ＳＣ２を示すブロック図である。
【００２５】
この防排煙制御装置ＳＣ２は、基本的には、図１に示す防排煙制御装置ＳＣ１と同じであるが、扉開閉センサＳＥ１の代わりに、人体を検出する人体センサＳＥ２が設けられている点、制御部１１の代わりに制御部１２が設けられている点が、防排煙制御装置ＳＣ１とは異なる。
【００２６】
人体センサＳＥ２は、赤外線センサ、マットセンサ等で構成され、防火扉Ｄの防火区画側の近傍に存在する人体を検出するものである。制御部１２は、人体センサＳＥ２が人体を検出したときに、排煙ファンの風量を低下させるように制御する風量制御手段の例である。
【００２７】
次に、防排煙制御装置ＳＣ２の動作について説明する。
【００２８】
図５は、防排煙制御装置ＳＣ２の動作を示すフローチャートである。このフローチャートにおいて、ステップＳ１〜Ｓ５までは、図２に示すフローチャートと同じであり、排煙機起動信号が送出された（Ｓ５）後に、人体センサＳＥ２が人体を検出すれば（Ｓ３１）、排煙機Ｂを弱風制御することによって（Ｓ３２）、防火扉Ｄに加わる風圧を減少させ、防火区画（監視区画）に存在する人間が防火扉Ｄを容易に開けることができ、したがって、防火区画（監視区画）に存在する人間が避難路に容易に出ることができるようにしている。そして、その後、人体センサＳＥ２が人体を検出しない限り（Ｓ３１）、強風制御し（Ｓ３３）、多量の煙を急速に外に排出させるようにしている。
【００２９】
この場合も、防火区画（監視区画）に存在する人間が避難路に容易に出ることができるようにしつつ、防火区画内の煙を効率よく排出することができる。
【００３０】
図６は、本発明の別の実施例である防排煙制御装置ＳＣ３を示すブロック図である。
【００３１】
この防排煙制御装置ＳＣ３は、基本的には、図１に示す防排煙制御装置ＳＣ１と同じであるが、制御部１１の代わりに制御部１３が設けられている点が、防排煙制御装置ＳＣ１とは異なる。制御部１３は、排煙ファンによる風量を波状的に制御する排煙ファン制御手段の例である。
【００３２】
次に、防排煙制御装置ＳＣ３の動作について説明する。
【００３３】
図７は、防排煙制御装置ＳＣ３の動作を示すフローチャートである。このフローチャートにおいて、ステップＳ１〜Ｓ５までは、図２に示すフローチャートと同じであり、排煙機起動信号が送出された（Ｓ５）後に、排煙機Ｂを弱風制御し（Ｓ４１）、これによって、防火扉Ｄに加わる風圧を減少させ、防火区画（監視区画）に存在する人間が避難路に容易に出ることができるようにしている。そして、この弱風制御を数秒間、たとえば５秒間実行した後に（Ｓ４２）、排煙機Ｂを強風制御し（Ｓ４３）、この強風制御を数秒間、たとえば５秒間実行し（Ｓ４３）、この弱風制御、強風制御を繰り返す。つまり、排煙ファンによる風量を波状的に制御する。このようにすれば、弱風制御の間に、防火扉Ｄに加えられる風圧が弱くなるので、防火区画（監視区画）に存在する人間が避難路に容易に出ることができ、しかも、強風制御の間に多量の煙を排出でき、したがって、防火区画内の煙を効率よく排出することができる。
【００３４】
上記実施例において、図２におけるステップの時間を１０秒間以外の時間に設定するようにしてもよく、図７における待機時間（Ｓ４２、Ｓ４４）を５秒間以外の時間に設定するようにしてもよい。
【００３５】
なお、制御装置として火災受信機を例にとって説明したが、火災受信機と防排煙制御盤とがそれぞれ設けられている設備においては、この防排煙制御盤を上記制御装置として動作させるようにしてもよい。
【００３６】
【発明の効果】
本発明によれば、防火扉が動作し、排煙ファンも動作した後でも、防火扉の内部に残された人間が容易に防火扉の外に避難することができるという効果を奏する。
【図面の簡単な説明】
【図１】本発明の一実施例である防排煙制御装置ＳＣ１を示すブロック図である。
【図２】防排煙制御装置ＳＣ１の動作を示すフローチャートである。
【図３】上記実施例における他の動作を示すフローチャートである。
【図４】本発明の他の実施例である防排煙制御装置ＳＣ２を示すブロック図である。
【図５】防排煙制御装置ＳＣ２の動作を示すフローチャートである。
【図６】本発明の別の実施例である防排煙制御装置ＳＣ３を示すブロック図である。
【図７】防排煙制御装置ＳＣ３の動作を示すフローチャートである。
【図８】従来の防排煙装置の一例を示す図であり、非火災時を示し、図８（１）は、その正面図、図８（２）は、その側面図である。
【図９】上記従来の防排煙装置における火災時を示す図である。
【符号の説明】
ＳＣ１、ＳＣ２、ＳＣ３…防排煙制御装置、
１１、１２、１３…制御部、
Ｂ…排煙機、
Ｄ…防火扉、
ＳＷ…スイッチ、
ＳＥ１…扉開閉センサ、
ＳＥ２…人体センサ。
【図１】
0003664414.tif 000002
【図２】
0003664414.tif 000003
【図３】
0003664414.tif 000004
【図４】
0003664414.tif 000005
【図５】
0003664414.tif 000006
【図６】
0003664414.tif 000007
【図７】
0003664414.tif 000008
【図８】
0003664414.tif 000009
【図９】
0003664414.tif 000010